(57)【要約】【課題】  ズームスイッチを効率的に配置した電子機器を提供する。【解決手段】  外装と、外装に取り付けられた回転操作部材と基板上に配置された、回転操作部材の回転を検出する第１の検出スイッチとを有し、第１の検出スイッチは、外装と基板の組み付け方向に対して、所定量の角度を持って配置されていることを特徴とする。また、回転操作部材と同軸上に取り付けられた操作部材と、基板上に配置された、操作部材の押下を検出する第２の検出スイッチとを有し、第２の検出スイッチは第１の検出スイッチよりも低い位置に配置されている。そして、第１の検出スイッチは、回転操作部材を含む複数の円形部品間の隙間に配置されている。【選択図】        図４
2006196212.tif 000002
【特許請求の範囲】
【請求項１】
外装と、
該外装に取り付けられた回転操作部材と、
基板上に配置された、前記回転操作部材の回転を検出する第１の検出スイッチとを有し、
前記第１の検出スイッチは、前記外装と前記基板の組み付け方向に対して、所定量の角度を持って配置されていることを特徴とする電子機器。
【請求項２】
前記回転操作部材と同軸上に取り付けられた操作部材と、
前記基板上に配置された、前記操作部材の押下を検出する第２の検出スイッチとを有し、
前記第２の検出スイッチは前記第１の検出スイッチよりも低い位置に配置されていることを特徴とする請求項１に記載の電子機器。
【請求項３】
前記第１の検出スイッチは、前記回転操作部材を含む複数の円形部品間の隙間に配置されていることを特徴とする請求項１または２に記載の電子機器。
【発明の詳細な説明】
【技術分野】
【０００１】
本発明は電子機器に関し、検出スイッチの効率的な配置方法に関する。
【背景技術】
【０００２】
撮像装置のズーム検出機構には、回転操作部材と、ツマミ部材を有するスライド式ズームスイッチを採用する例がある（例えば、特許文献１参照）。この場合、カメラのグリップ部の上方にフレキシブル基板を配置し、その上にレリーズスイッチ、ズームスイッチを載せて、さらにグリップカバー、ズームレバー、ボタンばね、レリーズボタンを重ねていくという構成をとっている。
【特許文献１】特開２００４−２７３３２４号公報
【発明の開示】
【発明が解決しようとする課題】
【０００３】
しかし、上記の検出機構では、グリップカバーもしくはトップカバーのような外観部品が別途必要になり、コストの増加につながる。別の問題として、レリーズスイッチとズームスイッチが同一平面上に実装されているため、ズームレバー及びレリーズボタンを基板の水平方向から組み付けようとすると、レリーズボタンの足とレリーズスイッチとが干渉してしまう。干渉を避けるためにレリーズボタンのストロークを大きくすると、その分レリーズボタンが鉛直方向に伸びて厚みが増してしまう。よって組み付け方向は上方からに限定されていた。また、ズームスイッチのスペースを確保しなければならないので、カメラの薄型化の妨げとなっていた。
【０００４】
本発明は、以上の点に着目して成されたもので、ズームスイッチを効率的に配置した電子機器を提供することを目的とする。
【課題を解決するための手段】
【０００５】
本発明の電子機器は、外装と、外装に取り付けられた回転操作部材と、基板上に配置された、回転操作部材の回転を検出する第１の検出スイッチとを有し、第１の検出スイッチは、外装と基板の組み付け方向に対して、所定量の角度を持って配置されていることを特徴とする。
【０００６】
また、回転操作部材と同軸上に取り付けられた操作部材と、基板上に配置された、操作部材の押下を検出する第２の検出スイッチとを有し、第２の検出スイッチは第１の検出スイッチよりも低い位置に配置されている。
【０００７】
そして、第１の検出スイッチは、回転操作部材を含む複数の円形部品間の隙間に配置されている。
【発明の効果】
【０００８】
本発明によれば、トップカバーやグリップカバーを別途設ける必要はなくなり、部品数が減り、コストダウンにつながる。また、ズームレバー及びレリーズボタンをフロントカバーに取り付けてから、フロントカバーにトップベースユニットを組み付けた場合、レリーズスイッチはズームスイッチよりも低い位置に配置されているためレリーズスイッチとレリーズボタンの足は干渉しない。
【０００９】
さらに、ズームスイッチと、ズームレバーのプレートのアームが干渉してもズームスイッチの突起部は力を受け流し、中間位置に自己復帰するため破壊するおそれがない。なお、ズームレバー、スピーカー、モードダイヤルの３つの円形部品間にできるデッドスペースにズームスイッチを配置しているため、ズームスイッチのための余分なスペースを確保する必要がない。
【発明を実施するための最良の形態】
【００１０】
以下本発明を実施するための最良の形態を、実施例により詳しく説明する。
【実施例】
【００１１】
図１は、本発明の一実施形態であるデジタルカメラ（電子機器）の外観斜視図である。
【００１２】
同図において、１はカメラ本体であり、この内部には撮影を可能とする各種の部材が配置されている。２は撮影者がカメラ本体１を保持するためのグリップ部である。３はレンズ鏡筒であり、光軸方向に繰り出したり繰り込んだりすることにより、撮影光学系の焦点距離を変更する。
【００１３】
４はレンズ鏡筒３の撮像画角（撮影光学系の焦点距離）を変更するために操作されるズームレバーであり、円筒状に形成されており、カメラ本体１に組み込まれる。このズームレバー４は、軸を中心に正逆方向に所定量、回転可能となっている。
【００１４】
５は２段階の押圧操作が可能なレリーズボタンであり、半押操作により撮影準備動作（測光動作や焦点調節動作等）が開始され、全押し操作により撮影動作（ＣＣＤ等の撮像素子への露光）が開始される。
【００１５】
６はシャッタスピード優先モード、絞り優先モード、ポートレート撮影モード、夜景撮影モードなど様々な撮影モードを選択するモードダイヤルであり、回転軸を中心に回転可能となっている。
【００１６】
７はスピーカー孔であり、記録した動画の再生時に、下部に配置されているスピーカーから音声が出る。
【００１７】
次に、ズームレバー４の周辺の構造について詳細に説明する。
【００１８】
図２はズームレバー４の周辺の構造を示す分解斜視図である。
【００１９】
同図において、ズームレバー４は、この回転軸を、フロントカバー１３に設けられたカバー穴部１５ａに貫通させることにより、回転軸を中心に回転可能となる。フロントカバー１３の下から、ズームスイッチの突起部と係合するアームを持つプレート１２と、ズームレバー４を操作方向と逆方向に付勢するための円形状の針金ばねを組み付け、ビスで固定される。
【００２０】
ズームレバー４の取り付けボスはフロントカバー１３に形成された２つの円弧穴部１５ｂ、１５ｃに貫通し、２本のビスで固定される。これにより、ズームレバー４は、取り付けボスが円弧穴部１５ｂ、１５ｃ内を移動可能な範囲内において、回転軸を中心に回転することができる。
【００２１】
また、回転軸の中にはボタン穴部が開けられており、このボタン穴部にはレリーズボタン５がボタンばねとともに取り付けられている。
【００２２】
図３はトップベースユニット１４の部分を拡大した斜視図である。トップベースユニット１４は板金の基板２７、フレキシブル基板２６、レリーズスイッチ２２、ズームスイッチ２３、電源スイッチ２４、パワーＬＥＤ２５、モードダイヤル６、スピーカー２１などから構成される。
【００２３】
レリーズスイッチ２２、電源スイッチ２４は押圧式のスイッチであり、ズームスイッチ２３は２方向検知型スイッチである。２２、２４はそれぞれフレキシブル基板２６の表面のうち適正な位置に実装される。このフレキシブル基板２６の一端は、カメラ本体１内に設けられた不図示の制御部に接続されている。
【００２４】
ズームレバー４の回転中心の真下に、レリーズスイッチ２２が配置されており、レリーズボタン５の押圧操作によりボタン足がレリーズスイッチ２２に当接するようになっている。
【００２５】
レリーズスイッチ２２の構成は、従来のカメラに用いられているレリーズスイッチと同様の構成であり、レリーズボタン５の半押し操作によりボタン足と当接してＯＮ状態となる第１のスイッチ（ＳＷ１）と、レリーズボタン５の全押し操作によりボタン足と当接してＯＮ状態となる第２のスイッチ（ＳＷ２）とで構成されている。
【００２６】
ズームスイッチ２３は、突起部２３ａが回転軸を中心に左右対称に所定量回転する。突起部２３ａは、中間位置に戻るように付勢されている。
【００２７】
レリーズスイッチ２２はフレキシブル基板２６を折り曲げることによって、ズームスイッチ２３より１段低い位置に配置されている。このように配置することにより、トップベースユニット１４をフロントカバー１３に対して水平方向に組み付けた場合でも、レリーズボタン５やプレート１２がレリーズスイッチ２２と干渉することはなく、水平方向の組み付けが可能となる。
【００２８】
ズームスイッチ２３は、フロントカバー１３とトップベースユニット１４を組み付けたとき、ズームレバー４、スピーカー２１、モードダイヤル６の３つの円形部品間にできるデッドスペースに配置されており、ズームスイッチを配置するためのスペースを別途設ける必要はない。
【００２９】
図４にズームスイッチ２３とズームレバー４の下部に取り付けられるプレート１２の、組み付け前の位置関係を示す。ズームスイッチ２３は組み付け方向に対して所定量の角度を持って配置されている。このように配置することにより、組み付け時にプレート１２のアーム３２ａ、３２ｂとズームスイッチ２３の突起部２３ａが干渉した場合でも、突起部２３ａは力を受け流して、中間位置に自己復帰するため、スイッチの破壊を回避することができる。
【００３０】
図５にトップベースユニット１４がフロントカバー１３に組み付けられたときの、ズームスイッチ２３とプレート１２との位置関係を示す。図のように、アーム３２ａ、３２ｂの間にズームスイッチの突起部２３ａが納まる。ズームレバー４に固定されたプレート１２のアーム３２ａ、３２ｂとズームスイッチの突起部２３ａが連動する。
【００３１】
次に、本実施形態のカメラにおいて、ズームレバー４の操作に応じた動作を説明する。
【００３２】
図１にて、撮影者は右手でグリップ２を保持し、レンズ鏡筒３を被写体に向け、ズームレバー４を操作して撮影画角を設定する。このとき、ズームレバー４を一方向に回転させると、ズームレバー４の操作信号を受けたカメラ本体１内の制御部は、撮影画角が広角となるようにレンズ鏡筒３を駆動して停止させる。また、ズームレバー４を他方向に回転させると、制御部は、撮影画角が望遠となるようにレンズ鏡筒３を駆動して停止させる。このように、ズームレバー４の回転方向に応じて、撮影画角を広角側と望遠側に切り換えることができるため、撮影画角の選定が行ないやすい。
【００３３】
撮影画角を決定した後に、ズームレバー４の中央にあるレリーズボタン５を押圧操作（全押し操作）することにより撮影が行われる。すなわち、レリーズボタン５のボタン足がレリーズスイッチ２２の第２のスイッチを押し込むことでＳＷ２がＯＮ状態となり、この信号がフレキシブル基板２６を経てカメラ本体１内の制御部に入力される。この入力信号を受けた制御部は、カメラ本体１内に設けられた撮像素子を駆動することによって撮影を行なう。
【００３４】
本実施形態のカメラでは、撮影画角の切替えを行なうズームレバー４の近傍にレリーズボタン５が配置されているため、撮影画角の切替えと撮影動作とを、指一本で簡単に行なえる。特にデジタルカメラの様に、レンズの撮影画角を頻繁に切替えながら撮影を行なう機器においては、ズームレバー４の操作性が求められているため、上述した配置構成とすることで上記機器に好適なものとなる。
【００３５】
次に、ズームレバー４の動作について詳しく説明する。
【００３６】
まず、ズームレバー４が初期位置にあるときには、プレート１２に取り付けられた針金ばね３１の両端がフロントカバーの突き出し部と、遊びを持たずに係合しているため、ズームレバー４は安定した状態となっている。これにより、ズームレバー４をがたなく初期位置に保持させることができる。ズームレバーが初期位置にあるときは、図５のようにズームスイッチの突起部２３ａは中間位置にあり、制御部はズームレバー４が初期位置にいることを検出し、レンズ鏡筒３を停止させた状態に維持する。
【００３７】
ここで、操作者がズームレバー４を初期位置から広角位置へ回転（図５において反時計方向）させると、プレート１２がズームレバー４とともに回転するため、アーム３２ｂがズームスイッチの突起部２３ａを突起部の付勢力に抗して中間位置から広角位置へ回転させる。
【００３８】
突起部２３ａが広角位置まで回転すると、ズームスイッチは内部の端子を導通させ、信号がカメラ本体１内の制御部に入力される。制御部はズームレバー４が広角位置にあることを検出するとともに、レンズ鏡筒３を駆動して撮影画角を広角側に切り換える。
【００３９】
次に操作者はレンズ鏡筒３を所望の撮影画角に設定できたら、ズームレバー４を放す。プレート１２に取り付けられた針金ばね３１は回転方向に圧縮されていたので、ズームレバー４は付勢力を受けて、初期位置へ向けて回転する。このとき、ズームスイッチの突起部２３ａも中間位置まで自己復帰する。
【００４０】
以上はズームレバー４を広角位置へ回転させた場合について説明したが、ズームレバー４を広角位置と反対側の望遠位置に移動させる場合についても上述した動作と同様となる。
【００４１】
なお、本実施形態ではデジタルカメラについて説明したが、互いに異なる方向に操作されるレバーを備え、このレバーの操作位置に応じて異なる信号を出力させるような構成を持った電子機器であればいかなるものについても適用することができる。
【００４２】
以上、本発明の好適な実施形態について説明したが、本発明は上記実施形態に限定されるものではなく、様々な変更や改良が加えられて実施されるものである。
【図面の簡単な説明】
【００４３】
【図１】本実施形態であるカメラの外観斜視図
【図２】ズームレバーの周辺構造の分解斜視図
【図３】トップベースユニットの斜視図
【図４】ズームスイッチの構成図（組み付け前）
【図５】ズームスイッチの構成図（組み付け後）
【符号の説明】
【００４４】
１      カメラ本体
２      グリップ部
３      レンズ鏡筒
４      ズームレバー
５      レリーズボタン
５ａ    レリーズキャップ
５ｂ    レリーズボタン足部
６      モードダイヤル
７      スピーカー孔
１１    ボタンばね
１２    プレート
１３    フロントカバー
１４    トップベースユニット
１５ａ  カバー穴部
１５ｂ、１５ｃ  円弧穴部
２１    スピーカー
２２    レリーズスイッチ
２３    ズームスイッチ
２３ａ  ズームスイッチの突起部
２４    電源スイッチ
２５    パワーＬＥＤ
２６    フレキシブル基板
２７    板金基板
３１    針金ばね
３２ａ、３２ｂ  アーム
【図１】
2006196212.tif 000003
【図２】
2006196212.tif 000004
【図３】
2006196212.tif 000005
【図４】
2006196212.tif 000006
【図５】
2006196212.tif 000007